(57)【要約】【課題】組み立てが簡易快速でコストを低減することができるマルチプルインワン・メモリカードのスロット座の設計を提供する。【解決手段】メモリカードのスロットに回し軸３が設けられるものを指し、それはスロット座のスロット１１に活動回し軸３が設けられ、型式の違うメモリカードはそれぞれ区分けして挿入することができ、回し軸３には軸方向の延伸突起部が備えられ、延伸突起部の適当位置には案内突起３３が設けられ、薄型メモリカードは回し軸３上側のスロットから水平に挿入することができ、その他型式のメモリカード５を回し軸３が設けられるスロットに挿入する場合、先ず延伸突起部を押し上げて回し軸３にある角度のひっくり返しが発生し、延伸突起部の内面部は同時に前列端子２１１を押し下げ、前列端子２１１がメモリカード５の不当挿入によって発生する変形損害を避ける。【選択図】図９
0003134316.tif 000002
【実用新案登録請求の範囲】
【請求項１】
マルチプルインワン・メモリカードのスロット座であって、
上蓋、共用端子座及び回し軸から構成され、
上蓋と絶縁共用端子座とは互いに組み合わせられてスロット座の座体を構成し、スロット座の座体の一端にはスロットが備えられ、
共用端子座の座体内には複数組の接続端子が設けられ、
前記回し軸は長い軸であり、それの両端軸部はピンによってスロット座のスロットに結合し、かつ回し軸には一つまたは一つ以上の延伸突起部が備えられることを特徴とするマルチプルインワン・メモリカードのスロット座。
【請求項２】
前記回し軸の延伸突起部は軸方向に延伸する方式をもって一体して回し軸に設けられることを特徴とする請求項１に記載のマルチプルインワン・メモリカードのスロット座。
【請求項３】
前記回し軸の延伸突起部には一つまたは一つ以上の突き出した案内突起が設けられることを特徴とする請求項１に記載のマルチプルインワン・メモリカードのスロット座。
【請求項４】
前記回し軸の両端はそれぞれ長軸部と短軸部とであり、かつスロットの側壁の枢接孔と対応のピン合わせとに現れることを特徴とする請求項１に記載のマルチプルインワン・メモリカードのスロット座。
【請求項５】
前記案内突起には、水平状態または水平状態に近い案内面が備えられることを特徴とする請求項３に記載のマルチプルインワン・メモリカードのスロット座。
【請求項６】
前記回し軸の延伸突起部にはストッパーが設けられ、共用端子座の対応個所にフランジ部が設けられ、ストッパーとフランジ部とは接触当て止めを形成することを特徴とする請求項１に記載のマルチプルインワン・メモリカードのスロット座。
【請求項７】
前記回し軸の延伸突起部の内面部と前記共用端子座の前列端子とは互いに対応する位置に現れることを特徴とする請求項１に記載のマルチプルインワン・メモリカードのスロット座。
【請求項８】
前記共用端子座は案内突起の配置によって座体に一つまたは一つ以上の凹溝座が組み合わせ設けられることを特徴とする請求項３に記載のマルチプルインワン・メモリカードのスロット座。
【請求項９】
端子溶接脚は前記共用端子座のスロットに近隣する前端に設けられることを特徴とする請求項１に記載のマルチプルインワン・メモリカードのスロット座。
【請求項１０】
前記端子溶接脚は前記共用端子座のスロットから遠ざかる後端に設けられることを特徴とする請求項１に記載のマルチプルインワン・メモリカードのスロット座。
【考案の詳細な説明】
【技術分野】
【０００１】
本考案はマルチプルインワン・メモリカードのスロット座の設計に関するもので、それはスロットに活動回し軸を設け加え、違った型式のメモリカードがそれぞれ区分けして挿入使用できることを提供する。
【背景技術】
【０００２】
従来のメモリカードは種類及び型式が多く、例えばＳＤメモリカード、ＭＭＣメモリカードまたはＭＭＣ４.０メモリカード、ＭＳメモリカード、ＸＤメモリカード、ＳＭメモリカード、miniＳＤメモリカード、ＲＳ−ＭＭＣメモリカードまたはＲＳ−ＭＭＣ４.０メモリカード等があり、サイズがそれぞれ異なるので、現在のメモリカードのスロット座はすべてマルチプルインワン・メモリカードのスロット座の形態に発展し、各種違った使用のニーズを満足している。
【０００３】
従来のメモリカードのスロット座の主要は金属上蓋、共用端子座及び複数組の接続端子群から構成され、スロット座のスロットはすべて幅広い連通する階段形の共用スロットで、この共用スロットに薄い小型のメモリカード（例えばminiＳＤメモリカード）を挿入する場合、メモリカードは左右に偏倚しまたは斜めにゆがんでしまい、そのためにメモリカードは共用端子座内の前列端子にぶつかり接触し、端子が折り曲がって変形損害することが起きる。
【０００４】
そこで、考案者は２００５年５月１２日に前記欠点を改善するために第２００５‐３１６０号実用新案の考案を提出し、前記考案は共用スロットに当て板、ばね及びコントロールスプリング（control spring）を設置して活動ゲート（gate）を構成し、かつスロットを活動ゲートを備えたスロット及び活動ゲートを備えないスロットに区分けし、これによって各種メモリカードが正確に挿入するよう自動的に校正し、端子の折り曲げ変形を防止する。前記考案の設計はすでに合理的で進歩的であるが、必要とする配置構成の関連部材が多いので、活動ゲート以外に更にばねやコントロールスプリング等関連部材が必要であり、組み立ても時間を費やし、コストも割高である。
【考案の開示】
【考案が解決しようとする課題】
【０００５】
本考案の主な目的は、特にメモリカードのスロットに活動回し軸が設けられ、前記回し軸には軸方向の延伸突起部が備えられ、延伸突起部には案内面を備えた案内突起が設けられ、前記案内面は水平または水平に近い形に現れるので、スロットはそれぞれ型式の違うメモリカードの挿入に区分けされ、薄型メモリカードを挿入する場合は回し軸の案内突起の案内面を用いて水平方向に回し軸上側のスロットに案内挿入され、他の型式のメモリカードを回し軸が設けられるスロットに挿入する場合、延伸突起部を押し上げて回し軸にある角度のひっくり返しが発生し、延伸突起部の内面部は同時に前列端子を押し下げ、端子がメモリカードの不当挿入によって発生する圧迫損害を避けることができ、メモリカードを抜き出す場合、前列端子自身の弾力を用いて回し軸を同時に押し上げ、迅速に復帰動作を完成して再び待機状態になれるので、このような構成は全体的構造をより精巧簡単にし、必要とする部材もより少なくなり、組み立てが簡易快速でコストを低減することができるマルチプルインワン・メモリカードのスロット座の設計を提供するものである。
【０００６】
本考案の次の目的は回し軸の延伸突起部の選定一端に延伸してストッパーが設けられ、ストッパーはメモリカードがまだ挿入されていない前は共用端子座と対応して設けられたフランジ部（または内壁面）と接触当て付けを形成し、それによって回し軸はひっくり返し過ぎないようになり、並びに案内突起の案内面は水平または水平に近い状態を保持し、薄型メモリカードが水平方向に挿入できるように案内し、カードに偏倚が発生することを避けるマルチプルインワン・メモリカードのスロット座の設計を提供するものである。
本考案の更にもう一つの目的は絶縁共用端子座の案内突起の相対位置に凹溝座が設けられ、案内突起が下へ押さえられた場合、凹溝座は適当な組み合せ対応になるマルチプルインワン・メモリカードのスロット座の設計を提供するものである。
【課題を解決するための手段】
【０００７】
マルチプルインワン・メモリカードのスロット座の設計であって、特にメモリカードのスロットに回し軸が設けられるものを指し、それはスロット座のスロットに活動回し軸が設けられ、型式の違うメモリカードはそれぞれ区分けして挿入することができ、前記回し軸には軸方向の延伸突起部が備えられ、延伸突起部の適当位置には案内突起が設けられ、薄型メモリカードは回し軸上側のスロットから水平に挿入することができ、その他型式のメモリカードを回し軸が設けられるスロットに挿入する場合、先ず延伸突起部を押し上げて回し軸にある角度のひっくり返しが発生し、延伸突起部の内面部は同時に前列端子を押し下げ、前列端子がメモリカードの不当挿入によって発生する変形損害を避ける。
【考案を実施するための最良の形態】
【０００８】
図１から図１０に示すのは本考案の第一実施例であり、図１１から図１３に示すのは本考案の第二実施例であり、第一実施例による「マルチプルインワン・メモリカードのスロット座」の設計構成は上蓋１、共用端子座２及び回し軸３から構成される。
図１に示すように、上蓋１は金属の板で、それは共用端子座２と互いに組み合わせてスロット座の座体を構成し、スロット座の座体の一端にはスロット１１が備えられ（図５に示す如く）、前記スロット１１は各種違ったメモリカード、図面に示すような薄型メモリカード４（例えばminiＳＤメモリカード）や相対してやや厚いメモリカード５（例えばＳＤメモリカード）の挿入使用に供される。
【０００９】
共用端子座２、それは図１及び図２に示すように絶縁の座体であり、座体内には各種違ったメモリカードとの組み合せ接続を形成するため、複数組の共用できる接続端子群２１、２２が収納され、各接続端子群２１、２２の配置は周知の技術であり、かつ端子群の分布または形態または必要とする群の多少はすべて各種メモリカードと組み合わせて適当に変えることができるが、共用端子座２は前列端子２１１の端子溝２１２の選定個所に一つまたは一つ以上の凹溝座２３が設けられ、共用端子座２の側辺内壁面にはフランジ部２４が備えられ（図７に示す如く）、他に前記共用端子座２には例えば検出シート２５と読み書き防止検出シート２６、または接地端子、溶接補助シート等を含む各種周知の部材を選択して組み合わせ、それら各種周知の部材はすべて各メモリカードによって配置構成される。
【００１０】
回し軸３、それは図１から図３に示す長い軸であり、両端はそれぞれ長軸部３１ａ及び短軸部３１ｂで、先ず長軸部３１ａをスロット１１の側壁枢接孔１１１に組み込み、それから短軸部３１ｂを別の側壁枢接孔１１１に組み込み、回し軸３は活動可能にスロット座のスロット１１にピンによって結合され、回し軸３は横方向にスロット１１に定位され、かつ前記回し軸３には一つ（または一つ以上）の軸方向の延伸突起部３２が備えられ、延伸突起部３２の適当位置には一つ（または一つ以上）の水平または水平に近い案内面３３１を備え、かつ適当に突き出した案内突起３３が設けられ、延伸突起部３２と前列端子２１１とは平常は力のかからない接触状態にあり、回し軸３の延伸突起部３２の選定された一端にはストッパー３４が設けられ、ストッパー３４の共用端子座と対応して設けられたフランジ部２４は接触の当て止めを形成しているので、ストッパー３４とフランジ部２４（または側壁の内壁面）とは当て止めの接触を形成して回し軸３はひっくり返し過ぎないようになり、延伸突起部３２は永遠にスロット１１の内部に向き合うようになる（図２または図５に示す如く）。
【００１１】
前記回し軸３がピンによってスロット座のスロット１１に構成されるマルチプルインワン・メモリカードのスロット座に結合されることにより、スロット１１は回し軸３の設置を用いてそれぞれ厚さ仕様の違うメモリカード４、５の区分け挿入に供することができ、回し軸３の案内面３３１は水平状態または水平に近い状態を保っているので、薄型メモリカード４（例えばminiＳＤメモリカード）の水平挿入を案内し（図４と図５の如く）、位置の偏倚を防止することができ、相対してやや厚いメモリカード５（例えばＳＤメモリカード）の挿入使用時は（図８から図１０の如く）、先ず回し軸３の延伸突起部３２を押し上げ接触し、回し軸３にある角度のひっくり返しが発生し、この場合延伸突起部３２の内面部３２１は同時に前列端子２１１を端子溝２１２内に押し下げるので（図６の如く）、前列端子２１１はメモリカード５の不当挿入または押し込みによる変形損害が発生しないようになる。
【００１２】
前記メモリカード５の使用が終わてスロット１１から抜き出す場合、前列端子２１１自身の弾力を用い、回し軸３を同時に押し上げて復帰の動作を完成し、回し軸３は再び使用前の待機状態になり、本考案の実施例は必要とする部材が極めて少ないので、組み立てが非常に簡易快速であり、かつ構造は精巧簡単であるので、コストの低減にも助力する。
上記の如く、前記絶縁共用端子座２は案内突起３３の配置によって、共用端子座２の端子溝２１２の相対選定個所に一つまたは一つ以上の凹溝座２３を組み合わせて設け、案内突起３３が下へ押さえられたら凹溝座２３と組み合せの契合を形成することができる。
【００１３】
本考案の実施例では、スロット座のスロット１１には回し軸３が設けられるので、厚さや型式の違うメモリカード４、５の組み合せ挿入を区分けすることができ、薄型メモリカード４が挿入された場合は案内突起３３の案内面３３１を用いて薄型メモリカード４を水平方向に挿入するよう案内するので、メモリカード４に位置の偏倚が発生しないことを確保する。相対してやや厚いメモリカード５を挿入する場合、前記メモリカード５は先ず延伸突起部３２と接触し並びに押し動かし、回し軸３はある角度のひっくり返しが発生し、延伸突起部３２の内面部３２１は予め前列端子２１１を端子溝２１２に進入するよう押し下げ、前列端子２１１がメモリカード５の不当挿入によって変形損害が発生することが避けられ、これによって端子が損害しないことを有効に保護する。
【００１４】
上記実施例が開示したのは本考案の主要技術の実例の説明だけであり、それは本案の技術範囲を制限するものではなく、およそ同等効果の応用に波及し、または前記技術手段に基づいて行った簡易な変更または入れ替えはすべて本案の技術範囲に属するものと見なすべきである。例えば図１から図１０に示す第一実施例では、本考案の各端子溶接脚２１３を共用端子座２の前端（スロット１１の近く）に設けてある形態を開示し、本考案の第二実施例に示すように、一般の端子溶接脚の配置構成によってすべての端子溶接脚２１３ａをスロット１１の後端（図１１から図１３に示す別の実施例の如く）に変更設置してもよく、それはすべて同等効果の実施であるが、主要技術は第一実施例と同じであるので、ここでは余計な説明をしない。
【図面の簡単な説明】
【００１５】
【図１】本考案の第一実施例によるマルチプルインワン・メモリカードのスロット座の分解図である。
【図２】本考案の第一実施例によるマルチプルインワン・メモリカードのスロット座の上蓋を含まない状態を示す斜視図である。
【図３】本考案の第一実施例によるマルチプルインワン・メモリカードのスロット座の回し軸の斜視図である。
【図４】本考案の第一実施例によるマルチプルインワン・メモリカードのスロット座の上蓋を含まない状態を示す平面図である。
【図５】図４のＡ‐Ａ線に沿う断面図である。
【図６】本考案の第一実施例によるマルチプルインワン・メモリカードのスロット座の上蓋を含まない状態を示す斜視図である。
【図７】本考案の第一実施例によるマルチプルインワン・メモリカードのスロット座の回し軸と共用端子座が接触当て止めの状態に現れた状態を示す局部斜視図である。
【図８】本考案の第一実施例によるマルチプルインワン・メモリカードのスロット座の上蓋を含まない平面図である。
【図９】図８のＢ‐Ｂ線に沿う断面図である。
【図１０】図８のＣ‐Ｃ線に沿う断面図である。
【図１１】本考案の第二実施例によるマルチプルインワン・メモリカードのスロット座の分解図である。
【図１２】本考案の第二実施例によるマルチプルインワン・メモリカードのスロット座の待機状態を示す断面図である。
【図１３】本考案の第二実施例によるマルチプルインワン・メモリカードのスロット座の斜視図である。
【符号の説明】
【００１６】
１：上蓋、２：共用端子座、３：回し軸、４：メモリカード、５：メモリカード、１１：スロット、１１１：側壁枢接孔、２１、２２：接続端子群、２１１：前列端子、２１２：端子溝、２３：凹溝座、２４：フランジ部、２５：検出シート、２６：読み書き防止検出シート、３１ａ：長軸部、３１ｂ：短軸部、３２：延伸突起部、３２１：内面部、３３：案内突起、３３１：案内面、３４：ストッパー、２１３、２１３ａ：端子溶接脚
【図１】
0003134316.tif 000003
【図２】
0003134316.tif 000004
【図３】
0003134316.tif 000005
【図４】
0003134316.tif 000006
【図５】
0003134316.tif 000007
【図６】
0003134316.tif 000008
【図７】
0003134316.tif 000009
【図８】
0003134316.tif 000010
【図９】
0003134316.tif 000011
【図１０】
0003134316.tif 000012
【図１１】
0003134316.tif 000013
【図１２】
0003134316.tif 000014
【図１３】
0003134316.tif 000015